(57)【要約】【課題】本発明は、車両用アドバイス装置に係り、一つの兼用スイッチのみで運転席ドアのみのアンロックと全ドアのアンロックとをそれぞれ実行するシステムの使い方を、その使い方を知らない車両使用者に周知させることにある。【解決手段】車両用アドバイス装置は、運転席ドアに設けられたドアハンドルが握られていることが検出された場合、その握られていることの継続時間が第１の所定時間に達した時に運転席ドアのみをアンロックさせると共に、その継続時間が第２の所定時間に達した時に全ドアをアンロックさせる。また、車室内に設けられた所定のマニュアルスイッチが操作されたことが検出された場合に、全ドアをアンロックさせる。そして、上記の継続時間が第１の所定時間に達した後、第２の所定時間に達する前に、所定のマニュアルスイッチの操作が検出された場合、ドアハンドルが握られることが長時間に亘って継続すれば全ドアがアンロックされる旨を運転者に知らせる。【選択図】図２
2015169048.tif 000002
【特許請求の範囲】
【請求項１】
運転席ドアに設けられたドアハンドルが握られていることを検出するハンドル検出手段と、
前記ハンドル検出手段により前記ドアハンドルが握られていることが検出された場合、該ドアハンドルが握られていることが継続する継続時間が第１の所定時間に達した時に運転席ドアのみをアンロックさせると共に、前記継続時間が前記第１の所定時間よりも長い第２の所定時間に達した時に全ドアをアンロックさせる第１のアンロック手段と、
車室内に設けられた所定のマニュアルスイッチ又は対応する携帯機に設けられたワイヤレススイッチが操作されることを検出するスイッチ操作検出手段と、
前記スイッチ操作検出手段により前記所定のマニュアルスイッチ又は前記ワイヤレススイッチが操作されたことが検出された場合に、全ドアをアンロックさせる第２のアンロック手段と、
前記継続時間が前記第１の所定時間に達した後、前記第２の所定時間に達する前に、前記スイッチ操作検出手段により前記所定のマニュアルスイッチ又は前記ワイヤレススイッチが操作されたことが検出された場合、前記ドアハンドルが握られることが長時間に亘って継続すれば全ドアがアンロックされる旨を運転者に知らせるアドバイス手段と、
を備えることを特徴とする車両用アドバイス装置。
【発明の詳細な説明】
【技術分野】
【０００１】
本発明は、車両に搭載される車両用アドバイス装置に関する。
【背景技術】
【０００２】
一のスイッチ操作で運転席ドアのアンロックと全ドアのアンロックとをそれぞれ実行する車両用ドアロック制御システムが知られている（例えば、特許文献１参照）。このシステムにおいては、所定のスイッチ（以下、兼用スイッチと称す）が押下操作された場合に、まず運転席ドアのみがアンロックされ、その後、そのスイッチ押下操作が所定時間継続したときに他のドアを含む全ドアがアンロックされる。従って、一つの兼用スイッチを操作するだけで運転席ドアのみのアンロックと全ドアのアンロックとをそれぞれ実行することができるので、車両使用者が車両ドアをアンロックさせるうえでの利便性の向上を簡素な構成で実現することができる。
【０００３】
また、車両用ドアロック制御システムとして、車室内の運転席付近に、全ドアをアンロックさせることが可能な集中ドアロック／アンロックスイッチ（以下、全ドア用のスイッチと称す）を設けたものがある。かかる構成において、全ドア用のスイッチがアンロック操作されると、直ちに全ドアがアンロックされる。
【先行技術文献】
【特許文献】
【０００４】
【特許文献１】特開２０１１−２５６５４６号公報
【発明の概要】
【発明が解決しようとする課題】
【０００５】
しかし、上記の如く一つの兼用スイッチのみで運転席ドアのみのアンロックと全ドアのアンロックとを実行させるシステムを車両使用者に周知させる手段が車両の取扱説明書以外に存在しない。このため、車両使用者が車両に対して全ドアのアンロックを要求する場合、例えば、兼用スイッチを押下操作することで運転席ドアのみをアンロックした後に、その兼用スイッチの押下操作を中止して全ドア用のスイッチをアンロック操作するなど、全ドア用のスイッチの操作が必要であると誤解し、その誤解が長時間に亘って継続する可能性があり、その結果として、上記したシステムの有用性が低下する。
【０００６】
本発明は、上述の点に鑑みてなされたものであり、一つの兼用スイッチのみで運転席ドアのみのアンロックと全ドアのアンロックとをそれぞれ実行するシステムの使い方を、その使い方を知らない車両使用者に周知させることが可能な車両用アドバイス装置を提供する。
【課題を解決するための手段】
【０００７】
本発明の一態様に係る車両用アドバイス装置は、運転席ドアに設けられたドアハンドルが握られていることを検出するハンドル検出手段と、前記ハンドル検出手段により前記ドアハンドルが握られていることが検出された場合、該ドアハンドルが握られていることが継続する継続時間が第１の所定時間に達した時に運転席ドアのみをアンロックさせると共に、前記継続時間が前記第１の所定時間よりも長い第２の所定時間に達した時に全ドアをアンロックさせる第１のアンロック手段と、車室内に設けられた所定のマニュアルスイッチ又は対応する携帯機に設けられたワイヤレススイッチが操作されることを検出するスイッチ操作検出手段と、前記スイッチ操作検出手段により前記所定のマニュアルスイッチ又は前記ワイヤレススイッチが操作されたことが検出された場合に、全ドアをアンロックさせる第２のアンロック手段と、前記継続時間が前記第１の所定時間に達した後、前記第２の所定時間に達する前に、前記スイッチ操作検出手段により前記所定のマニュアルスイッチ又は前記ワイヤレススイッチが操作されたことが検出された場合、前記ドアハンドルが握られることが長時間に亘って継続すれば全ドアがアンロックされる旨を運転者に知らせるアドバイス手段と、を備えるものである。
【発明の効果】
【０００８】
本発明によれば、一つの兼用スイッチのみで運転席ドアのみのアンロックと全ドアのアンロックとをそれぞれ実行するシステムの使い方を、その使い方を知らない車両使用者に周知させることができる。
【図面の簡単な説明】
【０００９】
【図１】本発明の一実施例である車両用アドバイス装置を備えるシステムの構成図である。
【図２】本実施例の車両用アドバイス装置において実行される制御ルーチンの一例のフローチャートである。
【発明を実施するための形態】
【００１０】
以下、図面を用いて、本発明に係る車両用アドバイス装置の具体的な実施の形態について説明する。
【００１１】
図１は、本発明の一実施例である車両用アドバイス装置１０を備えるシステム１２の構成図を示す。本実施例のシステム１２は、一のスイッチ操作で車両に設けられた運転席ドアのアンロックと全ドアのアンロックとをそれぞれ実行するシステムである。また、車両用アドバイス装置１０は、そのシステム１２の使い方、具体的には、運転席ドアをアンロックさせるための操作と略同じ操作で全ドアをアンロックさせることができることを車両使用者（車両所有者や車両運転者など）に周知させるための装置である。
【００１２】
システム１２は、車両に搭載される車載機１４と、車両使用者に携帯される携帯機１６と、を備えている。車載機１４は、マイクロコンピュータを主体に構成される電子制御ユニット（以下、制御ＥＣＵと称す。）２０を備えている。制御ＥＣＵ２０は、携帯機１６との無線通信により得た識別コードの認証照合（キー照合）を行うことができると共に、車両に設けられたドアのアンロックを制御することができる。尚、制御ＥＣＵ２０は、ドアのアンロック機能以外に、ドアのロック機能や車両使用中における携帯機１６の車外への持ち出しを検出する機能などを含むものであってもよい。
【００１３】
制御ＥＣＵ２０には、送信アンテナ２２及び受信アンテナ２４が接続されている。送信アンテナ２２は、車室外に検知エリアを形成する送信部であり、例えば車両ドア（具体的には、運転席ドアや助手席ドア）ごとにそのドアハンドル内に設置されている。送信アンテナ２２は、制御ＥＣＵ２０からの送信指令に従って所定周波数（例えば、１２５ｋＨｚ帯や１３４ｋＨｚ帯などのＬＦ帯）のリクエスト信号を送信して、車室外の所定領域（例えば、車両のドアハンドルから半径１ｍ程度の車外領域）内に検知エリアを形成する。
【００１４】
受信アンテナ２４は、車室内（例えば、バックドア付近）などに設けられた受信部である。受信アンテナ２４は、携帯機１６から送信される所定周波数（例えば、３００ＭＨｚ帯や４００ＭＨｚ帯などのＲＦ帯）のレスポンス信号を受信し、その受信信号を制御ＥＣＵ２０へ向けて供給する。制御ＥＣＵ２０は、携帯機１６から送信されて受信アンテナ２４にて受信されるレスポンス信号に含まれる識別コードが予め登録されている識別コードに一致するか否かを判別するキー照合を行う。
【００１５】
携帯機１６は、車両使用者により携帯される携帯機であって、車載機１４に対応する車両の使用に用いられるものである。携帯機１６は、車載機１４と無線通信を行うための通信機能を有しており、車載機１４との間で所定周波数の信号を送受信することが可能である。携帯機１６は、車載機１４からのリクエスト信号を受信すると共に、その受信したリクエスト信号に応答して自己の識別コードを含むレスポンス信号を返信するトランスポンダ機能を有している。
【００１６】
車載機１４の制御ＥＣＵ２０には、また、タッチセンサ２６が接続されている。タッチセンサ２６は、車両の運転席ドアのドアハンドルに内蔵された感知センサであって、そのドアハンドルに人がタッチしているか否かに応じた信号を出力するセンサである。タッチセンサ２６の出力信号は、制御ＥＣＵ２０に供給される。制御ＥＣＵ２０は、タッチセンサ２６の出力信号に基づいて、運転席ドアのドアハンドルに人がタッチしたか否かを判別する。
【００１７】
制御ＥＣＵ２０には、また、ドアアンロックスイッチ２８が接続されている。ドアアンロックスイッチ２８は、例えば運転席ドアの車室内側の側面に設置されたマニュアルスイッチであって、車両の全ドアをアンロックさせるときに人によりオン操作されるアンロック操作スイッチである。ドアアンロックスイッチ２８の状態を示す信号は、制御ＥＣＵ２０に供給される。制御ＥＣＵ２０は、ドアアンロックスイッチ２８の状態を検出する。
【００１８】
制御ＥＣＵ２０には、また、Ｄ席ドアアンロック機構３０及び他席ドアアンロック機構３２が接続されている。Ｄ席ドアアンロック機構は、運転席ドアに設けられた、その運転席ドアをアンロックするための機構である。また、他席ドアアンロック機構３２は、運転席ドア以外の車両ドアに設けられた、その車両ドアをアンロックするための機構である。制御ＥＣＵ２０は、タッチセンサ２６及びドアアンロックスイッチ２８を用いて車両ドアをアンロックさせる条件が成立することが検出される場合に、Ｄ席ドアアンロック機構３０又は他席ドアアンロック機構３２に対して作動指令を行う。Ｄ席ドアアンロック機構３０及び他席ドアアンロック機構３２はそれぞれ、制御ＥＣＵ２０からの作動指令に従って車両ドアをアンロックする。
【００１９】
制御ＥＣＵ２０には、更に、車両用アドバイス装置１０を構成するメータ３４及びスピーカ３６が接続されている。メータ３４は、運転席前に設けられたインフォメーションディスプレイであり、各種のアドバイス表示を行うことが可能である。また、スピーカ３６は、車室内に設けられた装置であり、各種のアドバイス音声を出力することが可能である。制御ＥＣＵ２０は、後に詳述する如く、システム１２の使い方を車両使用者に知らせるべきときにメータ３４及びスピーカ３６に対して作動指令を行う。メータ３４及びスピーカ３６は、制御ＥＣＵ２０からの作動指令に従って表示又は音声出力を行う。
【００２０】
以下、図２を参照して、本実施例の車両用アドバイス装置１０の動作について説明する。図２は、本実施例の車両用アドバイス装置１０において制御ＥＣＵ２０が実行する制御ルーチンの一例のフローチャートを示す。
【００２１】
本実施例のシステム１２において、車載機１４の制御ＥＣＵ２０は、車両のパワースイッチがオフされかつ全ドアがロックされている駐車中、定期的に、送信アンテナ２２からリクエスト信号を送信する（ステップ１００）。この場合、車室外に携帯機１６を検知するための検知エリアが形成される。かかる検知エリアの形成状態で携帯機１６を携帯する車両使用者が車両に近づいてその携帯機１６がその検知エリア内に進入すると、その携帯機１６と車載機１４との間で無線通信が行われる。
【００２２】
携帯機１６は、車載機１４の送信するリクエスト信号を受信すると、そのリクエスト信号が対応する正規の車載機１４のものである場合に、そのリクエスト信号に応答して自携帯機１６の識別コードを含むレスポンス信号を送信する。制御ＥＣＵ２０は、車室外（特に、運転席ドア付近）に向けてリクエスト信号を送信した後、受信アンテナ２４にて携帯機１６からのレスポンス信号を受信した場合に、そのレスポンス信号に含まれる識別コードを抽出して、その識別コードが予め登録されている識別コードに一致するか否かを判別するキー照合を行う（ステップ１０２）。
【００２３】
制御ＥＣＵ２０は、上記したキー照合の結果、識別コードが一致しないときは、上記ステップ１００の処理を繰り返し行う。一方、キー照合の結果、識別コードが一致するときは、そのキー照合の完了後、所定時間Ｔ１が経過するか否かを判別する（ステップ１０４）。その結果、所定時間Ｔ１が経過していないと判別する場合は、次に、タッチセンサ２６の出力信号に基づいて運転席ドアのドアハンドルに人がタッチしたか否かを判別する（ステップ１０６）。尚、上記した所定時間Ｔ１は、車室外の検知エリア形成時におけるキー照合が完了してから、その携帯機１６を携帯する車両使用者が運転席ドアのドアハンドルにタッチするまでに通常要すると判断される最大の時間に設定されており、例えば３秒である。
【００２４】
制御ＥＣＵ２０は、上記ステップ１０６においてタッチセンサ２６がオフされていることでそのドアハンドルに人がタッチしていないと判別する場合は、以後、上記ステップ１０４の処理を繰り返し行う。そして、上記ステップ１０４において所定時間Ｔ１が経過したと判別する場合は、次に、上記ステップ１００の処理を繰り返し行い、送信アンテナ２２からリクエスト信号を送信して車室外での検知エリアの再形成を行う。
【００２５】
一方、制御ＥＣＵ２０は、上記ステップ１０６においてタッチセンサ２６がオンされたことでドアハンドルに人がタッチしたと判別する場合は、次に、Ｄ席ドアアンロック機構３０に対して作動指令を行う（ステップ１０８）。かかる作動指令が行われると、Ｄ席ドアアンロック機構３０が運転席ドアをアンロックするので、運転席ドアのみがアンロックされて、運転席ドアから車室内への乗り込みが可能となる。
【００２６】
制御ＥＣＵ２０は、上記の如くＤ席ドアアンロック機構３０に対して作動指令を行った後、タッチセンサ２６のオン状態すなわち運転席ドアのドアハンドルに人がタッチする状態が所定時間Ｔ２継続するか否かを判別する（ステップ１１０）。尚、この所定時間Ｔ２は、全ドアをアンロックさせるために運転席ドアのドアハンドルに人が継続してタッチすべき時間に設定されており、例えば２秒や３秒などである。また、この所定時間Ｔ２は、運転席ドアのみをアンロックさせるために運転席ドアのドアハンドルに人が継続してタッチすべき時間（例えば０．１秒など）よりも長い時間に設定されている。
【００２７】
制御ＥＣＵ２０は、上記ステップ１１０において、タッチセンサ２６のオン状態が所定時間Ｔ２継続していないと判別する場合は、次に、ドアアンロックスイッチ２８がオン操作されるか否かを判別する（ステップ１１２）。その結果、ドアアンロックスイッチ２８がオン操作されたと判別する場合は、次に、メータ３４及びスピーカ３６に対して作動指令を行う（ステップ１１４）。尚、制御ＥＣＵ２０は、ドアアンロックスイッチ２８がオン操作されたと判別した場合は、Ｄ席ドアアンロック機構３０及び他席ドアアンロック機構３２の双方に対して作動指令を行って全ドアをアンロックさせる。
【００２８】
上記の如くメータ３４及びスピーカ３６に対する作動指令が行われると、メータ３４が上記したシステム１２の使い方を車両使用者に表示すると共に、スピーカ３６が上記したシステム１２の使い方を車両使用者に音声出力する。例えば、「運転席ドアのドアハンドルを長く握ると、全ドアをアンロックできます。」旨の表示がメータ３４になされ、或いは、その旨の音声出力がスピーカ３６からなされる。
【００２９】
制御ＥＣＵ２０は、上記ステップ１１２においてドアアンロックスイッチ２８がオン操作されていないと判別した後及び上記ステップ１１４において作動指令を行った後、上記したメータ３４でのアドバイス表示及びスピーカ３６からのアドバイス音声出力を許可せず或いは解除する条件（以下、アドバイスキャンセル条件と称す）が成立するか否かを判別する（ステップ１１６）。尚、このアドバイスキャンセル条件は、例えば、車両に搭載されたエンジンが始動中であること、アクセサリスイッチやイグニションスイッチがオンであること、運転席ドア若しくは全ドアがロックされたこと、又は全ドアがアンロックされたことなどである。
【００３０】
制御ＥＣＵ２０は、上記ステップ１１６において上記のアドバイスキャンセル条件が成立しないと判別する場合は、次に、上記ステップ１１０の処理を繰り返し行う。一方、上記のアドバイスキャンセル条件が成立すると判別する場合は、上記したメータ３４でのアドバイス表示及びスピーカ３６からのアドバイス音声出力を許可せず或いは解除する（ステップ１１８）。かかる処理が行われると、そのアドバイス表示やアドバイス音声出力が行われず或いは解除される。
【００３１】
また、制御ＥＣＵ２０は、上記ステップ１１０においてタッチセンサ２６のオン状態が所定時間Ｔ２継続したと判別する場合は、次に、他席ドアアンロック機構３２に対して作動指令を行う（ステップ１２０）。尚、この際、Ｄ席ドアアンロック機構３０に対して再度、作動指令を行ってもよい。かかる作動指令が行われると、少なくとも他席ドアアンロック機構３２が車両ドアをアンロックするので、全ドアがアンロックされて、全ドアから車室内への乗り込みが可能となる。
【００３２】
このように、本実施例においては、駐車中、車室外における検知エリア形成時に携帯機１６のキー照合が車載機１４で完了することを条件にして、運転席ドアのドアハンドルがタッチされた場合に、まず、運転席ドアのみをアンロックし、その後、そのドアハンドルのタッチ操作が所定時間Ｔ２継続したときに、全ドアをアンロックすることができる。従って、本実施例によれば、ドアハンドルのタッチ操作だけで運転席ドアのみのアンロックと全ドアのアンロックとをそれぞれ実行することができるので、車両使用者が車両ドアをアンロックさせるうえで利便性の向上を簡素な構成で実現することが可能である。
【００３３】
また、本実施例の車両用アドバイス装置１０においては、駐車中、上記の如く運転席ドアのドアハンドルがタッチされることによって運転席ドアのみがアンロックされた後、そのドアハンドルのタッチ操作が所定時間Ｔ２継続する前にドアアンロックスイッチ２８がオン操作された場合に、運転席ドアのドアハンドルをタッチする継続時間を長くすれば全ドアをアンロックできる旨をメータ３４に表示させると共に、スピーカ３６から音声出力させることができる。
【００３４】
従って、本実施例の車両用アドバイス装置１０によれば、駐車中に運転席ドアのドアハンドルのタッチのみで運転席ドアのみのアンロックと全ドアのアンロックとをそれぞれ実行するシステム１２の使い方を、運転席ドアのドアハンドルをタッチして運転席ドアのみをアンロックした後にドアアンロックスイッチ２８をオン操作して全ドアをアンロックするような、その使い方を知らない車両使用者に知らせることができる。このため、本実施例によれば、全ドアをアンロックするのにドアアンロックスイッチ２８のオン操作が必要であると誤解する車両使用者のその誤解を解き易くすることができ、システム１２の有用性を向上させることができる。
【００３５】
また、本実施例においては、上記した運転席ドアのドアハンドルをタッチする継続時間を長くすれば全ドアをアンロックできる旨のメータ３４での表示及びスピーカ３６からの音声出力が、運転席ドアのドアハンドルがタッチされた後、ドアアンロックスイッチ２８のオン操作が行われない限り行われず、ドアアンロックスイッチ２８がオン操作されたタイミングで行われる。
【００３６】
このため、本実施例によれば、運転席ドアのドアハンドルをタッチして運転席ドアのみをアンロックした後に全ドアをアンロックするのにドアアンロックスイッチ２８をオン操作する可能性が極めて低い、システム１２の使い方を知っている車両使用者に向けて、上記したメータ３４でのアドバイス表示やスピーカ３６からのアドバイス音声出力が行われるのを抑制することができ、それらのアドバイス表示やアドバイス音声出力が無駄に行われるのを防止することができる。
【００３７】
尚、上記の実施例においては、制御ＥＣＵ２０が図２に示すルーチン中ステップ１０６の処理を実行することが特許請求の範囲に記載した「ハンドル検出手段」に、運転席ドアのみをアンロックさせるために運転席ドアのドアハンドルに人が継続してタッチすべき時間が特許請求の範囲に記載した「第１の所定時間」に、所定時間Ｔ２が特許請求の範囲に記載した「第２の所定時間」に、制御ＥＣＵ２０がステップ１０８及び１２０の処理を実行することが特許請求の範囲に記載した「第１のアンロック手段」に、ドアアンロックスイッチ２８が特許請求の範囲に記載した「所定のマニュアルスイッチ」に、制御ＥＣＵ２０がステップ１１２の処理を実行することが特許請求の範囲に記載した「スイッチ操作検出手段」に、制御ＥＣＵ２０がドアアンロックスイッチ２８のオン操作により全ドアをアンロックさせることが特許請求の範囲に記載した「第２のアンロック手段」に、制御ＥＣＵ２０がステップ１１４の処理を実行することが特許請求の範囲に記載した「アドバイス手段」に、それぞれ相当している。
【００３８】
ところで、上記の実施例においては、運転席ドアのドアハンドルをタッチする継続時間を長くすれば全ドアをアンロックできる旨の車両使用者へのアドバイス出力として、メータ３４での表示及びスピーカ３６からの音声出力の双方を行うこととしている。しかし、本発明はこれに限定されるものではなく、メータ３４での表示及びスピーカ３６からの音声出力の何れか一方のみを行うものであってもよい。
【００３９】
また、上記の実施例においては、運転席ドアのドアハンドルをタッチする継続時間を長くすれば全ドアをアンロックできる旨のアドバイス出力を、運転席ドアのドアハンドルがタッチされることによって運転席ドアのみがアンロックされた後、そのドアハンドルのタッチ操作が所定時間Ｔ２継続する前、車室内に設置されたドアアンロックスイッチ２８がオン操作された時点で開始することとしている。しかし、本発明はこれに限定されるものではなく、そのアドバイス出力を、運転席ドアのドアハンドルがタッチされることによって運転席ドアのみがアンロックされた後、そのドアハンドルのタッチ操作が所定時間Ｔ２継続する前、携帯機１６に設けられたアンロックスイッチがオン操作されたことが車載機１４にワイヤレスで通信されてその車載機１４側で検出された時点で開始することとしてもよい。この場合には、携帯機１６のアンロックスイッチが特許請求の範囲に記載した「ワイヤレススイッチ」に相当する。
【符号の説明】
【００４０】
１０  車両用アドバイス装置
１２  システム
１４  車載機
１６  携帯機
２０  制御ＥＣＵ
２６  タッチセンサ
２８  ドアアンロックスイッチ
３０  Ｄ席ドアアンロック機構
３２  他席ドアアンロック機構
３４  メータ
３６  スピーカ
【図１】
2015169048.tif 000003
【図２】
2015169048.tif 000004